(57)【要約】【課題】ワークが通過する途中の位置で機内への進入を防止した機内進入防止シュート構造を提供すること。【解決手段】機体前面部の開口を貫き、機内から機外へと低くなるように傾斜した状態で取り付けられるシュート部材と、前記機体前面部に前記シュートの幅方向を軸線方向とする軸部材を介して揺動可能に吊下げられ、機内側への揺動が前記シュート部材の底面との接触により制限される機内進入防止板とを有する機内進入防止シュート構造。【選択図】図１
2019181652.tif 000002
【特許請求の範囲】
【請求項１】
機体前面部の開口を貫き、機内から機外へと低くなるように傾斜した状態で取り付けられるシュート部材と、
前記機体前面部に前記シュートの幅方向を軸線方向とする軸部材を介して揺動可能に吊下げられ、機内側への揺動が前記シュート部材の底面との接触により制限される機内進入防止板とを有する機内進入防止シュート構造。
【請求項２】
前記機内進入防止板は、その下端部分に機外側へ向いた折り曲げ部が形成された請求項１に記載の機内進入防止シュート構造。
【請求項３】
前記機体前面部から機内側へ離れた位置において前記機内進入防止板を吊下げるための離間ブラケットを有する請求項１又は請求項２に記載の機内進入防止シュート構造。
【請求項４】
前記機内進入防止板を挟んで機内と機外とに発光装置と受光装置とが配置されたフォトセンサを有し、前記機内進入防止板は、検出光が通過する位置に検出用切欠が形成された請求項１乃至請求項３のいずれかに記載の機内進入防止シュート構造。
【発明の詳細な説明】
【技術分野】
【０００１】
本発明は、開口部側から作業者が手を入れた場合であっても一定以上奥に入り込めないようにした機内進入防止シュート構造に関する。
【背景技術】
【０００２】
複数の工作機械などを配置した生産ラインは、オートローダによってワークが搬送され、切削などの加工処理が順番に行われる。そうしたなか所定の加工が行われたワークについて検測装置を使用した寸法確認なども行われる。その場合、設計値から外れたＮＧワークは排除する必要があるため、例えば下記特許文献１に示すように、オートローダによってシュートへと運ばれて機外へと排出されることとなる。そのシュートは、生産ラインの稼働中であってもワークを排出できるように、機内から機外へと設けられ、作業者によってワークの取り出しおよび確認などが可能になっている。
【先行技術文献】
【特許文献】
【０００３】
【特許文献１】特開２０１４−１８４５２０号公報
【特許文献２】特開平８−１２９６７４号公報
【発明の概要】
【発明が解決しようとする課題】
【０００４】
しかし、シュートは機内と機外とをつなぐものであるが、機外から機内への逆方向の進入は防止する必要がある。そうした機内への進入を防止するものとしては、例えば生産ラインとは異なるが、上記特許文献２には、自動販売機の商品取出口内部に設けられた防盗フラッパ板が開示されている。その自動販売機は、機体前面に商品を取り出すための商品取出口が設けられ、そこに手前側上方へ揺動するフラッパ板が取り付けられている。そして、機内には前傾したシュートが設けられ、商品ラックから転がり落ちた商品が商品取出部に送られるようになっている。
【０００５】
商品取出部の奥に位置するシュートには、その下端部分を塞ぐようにした開閉フラッパ板および、その前方に防盗フラッパ板が配置されている。よって、当該従来例では、防盗フラッパ板が後方に揺動して開閉フラッパ板を閉位置に拘束することにより、シュートから商品ラックへと手を入れことができないようになっている。しかし、前述した生産ラインのシュートの場合には、シュート上のワークを取り出す構成である。そのため、シュート上の狭い範囲に機内への進入防止手段を設けなければならない一方で、ワークには様々なサイズのものがあり、シュートにはそうしたワークを送り出すための空間を確保する必要もある。
【０００６】
そこで、本発明は、かかる課題を解決すべく、ワークが通過する途中の位置で機内への進入を防止した機内進入防止シュート構造を提供することを目的とする。
【課題を解決するための手段】
【０００７】
本発明に係る機内進入防止シュート構造は、機体前面部の開口を貫き、機内から機外へと低くなるように傾斜した状態で取り付けられるシュート部材と、前記機体前面部に前記シュートの幅方向を軸線方向とする軸部材を介して揺動可能に吊下げられ、機内側への揺動が前記シュート部材の底面との接触により制限される機内進入防止板とを有する。
【発明の効果】
【０００８】
前記構成によれば、対象物がシュートを通って機内から機外へと滑り落ちる場合、機内進入防止板は、機外側へと押されるようにして揺動し、対象物の通過を妨げることはない。その一方で、機外から機内側への進入があった場合には、機内進入防止板が機内側へと揺動することになるが、シュート部材の底面は同方向に高くなっているため、機内進入防止板の下端部が底面に接触してしまい、それ以上の揺動が制限される。こうしてワークが通過するシュートの途中の位置で機内への進入が防止される。
【図面の簡単な説明】
【０００９】
【図１】機内進入防止シュート構造の一実施形態を示した図であり、オートローダが保持するワークを排出するためのシュートを示した側面図である。
【図２】ワーク投入時の機内進入防止板の動きを示した図である。
【図３】ワーク取り出し時の取出しカバーの動きを示した図である。
【図４】機内進入防止状態の機内進入防止板の動きを示した図である。
【図５】機内進入防止シュート構造の一実施形態を示した平面図である。
【発明を実施するための形態】
【００１０】
次に、本発明に係る機内進入防止シュート構造の一実施形態について、図面を参照しながら以下に説明する。図１は、機内進入防止シュート構造の実施形態を示した図であり、オートローダが保持するワークを排出するためのシュートを示した側面図である。シュート１は、生産ライン上に設けられたものである。複数の工作機械などを配置した生産ラインでは、オートローダ２によってワークＷが搬送され、例えば検測によって不適格と判断されたワークＷは、シュート１へと投入されてライン外へと排出されることとなる。
【００１１】
オートローダ２は、９０度の角度で配置された２つのチャック装置１０１が回転部１０２に組み付けられ、水平状態と鉛直状態との位置を交互に入れ替えられるよう構成されている。そして、このチャック装置１０１が回転部１０２を介して不図示の搬送装置に搭載され、Ｘ軸方向、Ｙ軸方向およびＺ軸方向に移動できるよう構成されている。ワークＷはオートローダ２によって生産ライン内の各箇所へ搬送が可能であり、チャック装置１０１で把持されたワークＷが図示するシュート１の位置で解放されることにより、そのシュート１を通って機外へと排出されることとなる。
【００１２】
シュート１は、滑り面を構成する傾斜した一定長さの底面部１１と、底面部１１の幅方向両側に所定の高さ起立した側板部１２とからなる滑り台形状の部材である。シュート１は、搭載された装置本体の機体前面部１０に形成された開口部１０ａを貫き、図面左側の機内から図面右側の機外へと配置されている。そして、機内側のワーク投入部１３が高く、機外側のワーク取り出し部１４が低くなるように角度をつけて組み付けられている。シュート１の機外側端部には止め板１５が固定され、シュート１に投入されて滑り落ちたワークＷがワーク取り出し部１４に留め置かれるようになっている。
【００１３】
このようなシュート１には、機体前面部１０の外側に取出しカバー１６が設けられ、機内側には機内進入防止板１８が設けられている。図２乃至図４は、こうした取出しカバー１６および機内進入防止板１８の動きを示した図である。機体前面部１０には、機外側に突き出すようにしたブラケット２１が固定され、そこに取出しカバー１６が軸着されている。具体的には、取出しカバー１６は、シュート１の幅方向（図面を貫く方向）を軸線方向とする蝶番２２によってブラケット２１に取り付けられている。取出しカバー１６は、シュート１のワーク取り出し部１４を覆うように形成され、前部にハンドル１６１が取り付けられている。また、ブラケット２１の上には機体前方に突き出すようにしてストッパ２３が設けられ、上方に揺動した取り出しカバー１の開状態が制限されるようになっている。
【００１４】
一方、機体前面部１０の裏側には、機内側に突き出すようにしてブラケット２５が固定されている。ブラケット２５は、機内側においてＬ字状に折り曲げられた形状をしており、下方に延びた面の端部に機内進入防止板１８が吊下げられた状態で軸着されている。具体的には、機内進入防止板１８がシュート１の幅方向を軸線方向とする蝶番２６によってブラケット２５に取り付けられている。その機内進入防止板１８は、シュート１よりも小さい幅寸法の板材であり、吊下げられた状態の下側部分が左右の側板部１２の間に入り込んでいる。そして、図示するように鉛直に吊下げられた機内進入防止板１８の下端部には、シュート１の下降側に向いた折り曲げ部１８１が形成されている。
【００１５】
ここで、図５は、シュート１を上方から示した平面図である。シュート１は、ワークが投入されたことが確認できるように、発光装置３１と受光装置３２との組み合わせからなるフォトセンサが設けられている。その発光装置３１と受光装置３２とは機内進入防止板１８を挟んで斜めに配置されている。そのため、機内進入防止板１８には、ワーク取り出し部１４側から見た丸枠内の図に示すように、検出光３０を通すための検出用切欠１８３が形成されている。
【００１６】
次に、ＮＧワークの排出などでは、図１に示すようにオートローダ２によってワークＷがシュート１へと運ばれ、ワーク投入部１３上でチャック装置１０１から離される。ワークＷは、シュート１の底面部１１上に落ちて傾斜に沿って滑り、機内から機外へと送り出される。そのワークＷは、止め板１５によって止められてワーク取り出し部１４に留め置かれることとなる。そして、図３に示すように、取出しカバー１６が開けられることによってワーク取り出し部１４が開放され、生産ラインの稼働中であっても作業者によりワークＷが取り出し可能となる。
【００１７】
ところで、ワークＷがシュート１を滑り落ちるとき、機内進入防止板１８は、図２に示すようにワークＷによって押され、蝶番２６を介して機外側（図面右側）へと揺動することとなる。その機内進入防止板１８は、ワークＷが通過するまでは図示するようにワークＷの上に乗り上げた状態が維持される。しかし、前述したようにワーク取り出し部１４にまでワークＷが送られると、ワークＷを乗り越えた機内進入防止板１８は、図３に示すような吊下げ状態へと戻ることとなる。このとき、発光装置３１と受光装置３２との間を通る検出光３０がワークＷによって遮断されるため、ワーク取り出し部１４のワークＷが確認される。そして、作業者は、取出しカバー１６を開けることにより、ワークＷの取り出しが可能になる。
【００１８】
一方、シュート１内にワークＷが無い場合には、ワーク取り出し部１４からワーク投入部１３側へと手などが入れられることが考えられる。しかし、本実施形態では、機内への進入は機内進入防止板１８によって妨げられることとなる。すなわち、機内へと手が入れられた場合には機内進入防止板１８が押されることになるが、その機内進入防止板１８は蝶番２６を介して機内側（図面左側）へと揺動する。その際、シュート１の底面部１１が同方向に高くなっているので、図４に示すように下端部分がすぐ底面部１１に当たってしまい、それ以上の揺動が制限される。そのため、シュート１は、機内進入防止板１８によって塞がれた状態になり、それ以上に機内側への進入が不可能となる。
【００１９】
よって、本実施形態によれば、シュート１に対して揺動可能な状態の機内進入防止板１８を吊下げるようにして設けたため、ワーク投入部１３からワーク取り出し部１４へとワークＷを送る通常使用とともに、ワーク取り出し部１４から機内側への逆方向の進入防止が可能となっている。特に、機内進入防止板１８は、その下端がシュート１の底面部１１に当たるようにしているため、検出用切欠１８３の僅かな隙間を除きシュート１をほぼ塞ぐことができる。その機内進入防止板１８は、下端部の折り曲げ部１８１によって、機外側へ通過するワークＷに引っ掛かることなく、また、機内側へ揺動してシュート１を塞ぐ場合にも底面部１１に引っ掛かってしまうことが回避できる。
【００２０】
更に、本実施形態では、機内進入防止板１８を吊り下げる構成にしたため、大きいワークＷの通過を妨げることがない。特に、機内進入防止板１８は、ブラケット２５によって機体前面部１０の開口部１０ａよりも機内側に吊下げられている。そのため、その取り付け位置ではシュート１の傾斜した底面部１１から蝶番２６までの距離が短くなり、機内進入防止板１８の長さも短くすることができる。このことにより、ワークＷが大きいサイズになったとしても、ワーク取り出し部１４に位置するワークＷに対し、図２に示すように機内進入防止板１８が乗り上げるような状態を回避できる。また、シュート１を塞いでしまう機内進入防止板１８であっても、検出用切欠１６３によりフォトセンサによるワークＷの検出が可能である。
【００２１】
以上、本発明の一実施形態について説明したが、本発明はこれに限定されることなく、その趣旨を逸脱しない範囲で様々な変更が可能である。
例えば、前記実施形態では、複数の工作機械などを配置した生産ライン上でワークを排出する場合を例に挙げて説明したが、その他の機器に設置するシュートであってもよい。
【符号の説明】
【００２２】
１…シュート  １０…機体前面部  １１…底面部  １０ａ…開口部  １３…ワーク投入部  １４…ワーク取り出し部  １６…取出しカバー  １８…機内進入防止板  ２５…ブラケット  ２６…蝶番  ３１…発光装置  ３２…受光装置  １８１…折り曲げ部  １８３…検出用切欠
【図１】
2019181652.tif 000003
【図２】
2019181652.tif 000004
【図３】
2019181652.tif 000005
【図４】
2019181652.tif 000006
【図５】
2019181652.tif 000007